【手続補正書】
【提出日】平成22年11月1日(2010.11.1)
【手続補正１】
【補正対象書類名】特許請求の範囲
【補正対象項目名】全文
【補正方法】変更
【補正の内容】
【特許請求の範囲】
【請求項１】
ａ）１つ以上のフィラメントを形成するためにポリマー溶液を凝固液の上方のエアギャップへ押し出す工程であって、そこで前記フィラメントが歪みを受ける工程と、
ｂ）前記ポリマー溶液を凝固液と接触させることによって液体およびフィラメントの下降流を形成する工程と、
ｃ）前記フィラメントおよび液体を急冷チューブに通す工程と、
ｄ）前記液体への重力の下向きの力が前記エアギャップにおける前記フィラメントの歪みを増加させないように前記液体を表面と接触させる工程であって、前記表面が、複数のプレートを含む工程と、
ｅ）前記液体を前記フィラメントから分離する工程と
を含むポリマーフィラメントの紡糸方法。
【請求項２】
ａ）紡糸口金と、
ｂ）前記紡糸口金の真下に配置された急冷チューブを有する凝固浴と、
ｃ）前記急冷チューブの真下に配置された、垂直スロットを形成する一対の離間された垂直平行表面であって、前記垂直スロットが、前記平行表面間の直線距離である幅寸法を有する垂直平行表面と
を含む、エアギャップにおける紡糸フィラメントの歪みを制御するための装置であって、
前記紡糸口金、急冷チューブ、および垂直スロットが全て中心線に沿って一列に並んでおり、そして前記垂直スロットの幅が急冷チューブの内径より小さい、装置。
【手続補正２】
【補正対象書類名】明細書
【補正対象項目名】００５１
【補正方法】変更
【補正の内容】
【００５１】
本方法において用いられる紡糸口金は、任意の好都合な形状を有してもよい。それを通して繊維が押し出される紡糸口金の穴は、円形であってもまたは任意の所望の断面を提供するための形状であってもよい。任意の所望の数の穴は設備によって制限されるように用いられてもよい。本明細書に記載される方法にとって好ましい穴サイズの範囲は、直径が０．１〜０．５ｍｍである。
また、好ましい態様として、本発明を次のように構成することもできる。
１．  ａ）１つ以上のフィラメントを形成するためにポリマー溶液を凝固液の上方のエアギャップへ押し出す工程であって、そこで前記フィラメントが歪みを受ける工程と、
ｂ）前記ポリマー溶液を凝固液と接触させることによって液体およびフィラメントの下降流を形成する工程と、
（ｃ）前記フィラメントおよび液体を急冷チューブに通す工程と、
ｃ）前記液体への重力の下向きの力が前記エアギャップにおける前記フィラメントの歪みを増加させないように前記液体を表面と接触させる工程と、
ｄ）前記液体を前記フィラメントから分離する工程と
を含むポリマーフィラメントの紡糸方法。
２．  ａ）ポリマー溶液を紡糸口金と凝固液との間のエアギャップにおいてフィラメントへ押し出す工程であって、前記フィラメントが１つ以上の引張ロールによって与えられる一定の歪みを前記エアギャップにおいて有する工程と、
ｂ）前記フィラメントを液体と接触させて前記フィラメントを凝固させ、そして急冷チューブを通る液体およびフィラメントの下降流を形成する工程と、
ｃ）前記液体への重力の下向きの力が前記エアギャップにおける前記フィラメントの歪みを増加させないように前記液体を表面と接触させる工程と、
ｄ）前記液体を前記フィラメントから分離する工程と、
ｅ）１つ以上の引張ロールを用いて前記フィラメントを先へ送る工程と
を含むポリマーフィラメントの紡糸方法。
３．  前記表面がプレートを含む上記２に記載の方法。
４．  前記表面が複数のプレートを含む上記２に記載の方法。
５．  前記表面が２つの平行プレートを含む上記３に記載の方法。
６．  前記プレートが少なくとも１つの曲面を含む構造へ成形されている上記３に記載の方法。
７．  前記プレートが曲線状である上記３に記載の方法。
８．  前記フィラメントを収集する工程をさらに含む上記２に記載の方法。
９．  前記フィラメントがフィラメントをチューブ上に巻き取ることによって収集される上記８に記載の方法。
１０．  前記フィラメントが少なくとも５００メートル毎分のスピードで巻き取られる上記９に記載の方法。
１１．  前記フィラメントが少なくとも８００メートル毎分のスピードで巻き取られる上記９に記載の方法。
１２．  前記ポリマーがアラミドを含む上記２に記載の方法。
１３．  前記アラミドがパラ−アラミドである上記１２に記載の方法。
１４．  前記アラミドがポリ（ｐ−フェニレンテレフタルアミド）である上記１３に記載の方法。
１５．  前記ポリマーがポリアレーンアゾールを含む上記２に記載の方法。
１６．  前記ポリアレーンアゾールがポリベンゾオキサゾールまたはポリベンゾチアゾールである上記１５に記載の方法。
１７  前記ポリマーがポリ｛２，６−ジイミダゾ［４，５−ｂ４’，５’−ｅ］ピリジニレン−１，４（２，５−ジヒドロキシ）フェニレン｝を含む上記２に記載の方法。
１８．  ａ）紡糸口金と、
ｂ）前記紡糸口金の真下に配置された急冷チューブを有する凝固浴と、
ｃ）前記急冷チューブの真下に配置された、垂直スロットを形成する一対の離間された垂直平行表面であって、前記垂直スロットが、前記平行表面間の直線距離である幅寸法を有する垂直平行表面と
を含む、エアギャップにおける紡糸フィラメントの歪みを制御するための装置であって、
前記紡糸口金、急冷チューブ、および垂直スロットが全て中心線に沿って一列に並んでおり、そして前記垂直スロットの幅が急冷チューブの内径より小さい、装置。
１９．  前記表面が２つの平行プレートを含む上記１８に記載の装置。
２０．  前記表面が曲線状である上記１８に記載の装置。
２１．  ａ）１つ以上のフィラメントを形成するためにポリマー溶液を凝固液の上方のエアギャップへ押し出す工程であって、そこで前記フィラメントが歪みを受ける工程と、
ｂ）前記ポリマー溶液を凝固液と接触させることによって液体およびフィラメントの下降流を形成する工程と、
ｃ）前記フィラメントおよび液体を急冷チューブに通す工程と、
ｄ）前記液体への重力の下向きの力が前記エアギャップにおける前記フィラメントの歪みを増加させないように前記液体を表面と接触させる工程であって、前記表面が、複数のプレートを含む工程と、
ｅ）前記液体を前記フィラメントから分離する工程と
を含むポリマーフィラメントの紡糸方法。
２２．  前記エアギャップにおける前記歪みが１つ以上の引張ロールによって与えられ、そして
ｆ）１つ以上の引張ロールを用いて前記フィラメントを先へ送る工程
をさらに含む上記２１に記載の方法。
２３．  前記表面が２つの平行プレートを含む上記２１に記載の方法。
２４．  前記プレートが少なくとも１つの曲面を含む構造へ成形されている上記２１に記載の方法。
２５．  前記プレートが曲線状である上記２１に記載の方法。
２６．  前記フィラメントを収集する工程をさらに含む上記２２に記載の方法。
２７．  前記フィラメントがフィラメントをチューブ上に巻き取ることによって収集される上記２６に記載の方法。
２８．  前記フィラメントが少なくとも５００メートル毎分のスピードで巻き取られる上記２７に記載の方法。
２９．  前記フィラメントが少なくとも８００メートル毎分のスピードで巻き取られる上記２７に記載の方法。
３０．  前記ポリマーがアラミドを含む上記２２に記載の方法。
３１．  前記アラミドがパラ−アラミドである上記３０に記載の方法。
３２．  前記アラミドがポリ（ｐ−フェニレンテレフタルアミド）である上記３１に記載の方法。
３３．  前記ポリマーがポリアレーンアゾールを含む上記３２に記載の方法。
３４．  前記ポリアレーンアゾールがポリベンゾオキサゾールまたはポリベンゾチアゾールである上記３３に記載の方法。
３５．  前記ポリマーがポリ｛２，６−ジイミダゾ［４，５−ｂ４’，５’−ｅ］ピリジニレン−１，４（２，５−ジヒドロキシ）フェニレン｝を含む上記２２に記載の方法。
３６．  ａ）紡糸口金と、
ｂ）前記紡糸口金の真下に配置された急冷チューブを有する凝固浴と、
ｃ）前記急冷チューブの真下に配置された、垂直スロットを形成する一対の離間された垂直平行表面であって、前記垂直スロットが、前記平行表面間の直線距離である幅寸法を有する垂直平行表面と
を含む、エアギャップにおける紡糸フィラメントの歪みを制御するための装置であって、
前記紡糸口金、急冷チューブ、および垂直スロットが全て中心線に沿って一列に並んでおり、そして前記垂直スロットの幅が急冷チューブの内径より小さい、装置。
３７．  前記表面が２つの平行プレートを含む上記３６に記載の装置。
３８．  前記表面が曲線状である上記３６に記載の装置。